(57)【要約】【課題】カフの内部の圧力を容易に調整できるようにすること。【解決手段】本発明では、気管に密着させるために設けられたカフの圧力を調整するためのカフ圧調整器（１）において、カフに接続するチューブ（２）に、カフへの強制給気動作とカフからの強制排気動作と給排気停止動作とに動作変更可能に構成したポンプ（チューブポンプ３）と、カフの圧力を測定し表示する圧力表示器（４）とを接続することにした。また、本発明では、前記チューブ（２）の中途部に、チューブ（２）の内圧が所定圧力以上となった場合に開放する過大圧力開放弁（６）や、チューブ（２）の内圧が所定圧力以下となった場合に開放する過小圧力開放弁（７）を設けることにした。【選択図】図１
2015024010.tif 000002
【特許請求の範囲】
【請求項１】
気管に密着させるために設けられたカフの圧力を調整するためのカフ圧調整器において、
カフに接続するチューブに、カフへの強制給気動作とカフからの強制排気動作と給排気停止動作とに動作変更可能に構成したポンプと、カフの圧力を測定し表示する圧力表示器とを接続したことを特徴とするカフ圧調整器。
【請求項２】
前記チューブの中途部に、チューブの内圧が所定圧力以上となった場合に開放する過大圧力開放弁、又は／及び、チューブの内圧が所定圧力以下となった場合に開放する過小圧力開放弁を設けたことを特徴とする請求項１に記載のカフ圧調整器。
【発明の詳細な説明】
【技術分野】
【０００１】
本発明は、気管に密着させるために設けられたカフの圧力を調整するためのカフ圧調整器に関するものである。
【背景技術】
【０００２】
従来より、気管挿管で使用される挿管チューブや気管切開で使用される気管カニューレなどには、先端部分を気管の内壁面に密着させるために空気圧で膨張するカフが設けられている（たとえば、特許文献１参照。）。
【０００３】
このカフを所定の圧力で膨張させるために、カフに接続するチューブにゴム球型ポンプを接続したカフ圧調整器が利用されている。
【０００４】
そして、従来のカフ圧調整器では、カフの使用前に、ゴム球型ポンプを用いてカフに空気を供給してカフを膨張させ、カフの内部の圧力が所望の圧力となった時に開閉弁を閉塞させた状態にしてカフの内部の圧力を保持する。その際に、カフの内部が所望の圧力よりも高くなってしまった場合には、空気抜き弁を開放することでカフの内部の圧力を利用してカフの内部から空気を排出させる。また、カフの使用後にも、空気抜き弁を開放することでカフの内部の圧力を利用してカフの内部から空気を排出させる。
【先行技術文献】
【特許文献】
【０００５】
【特許文献１】特開２０１３−１２８６７１号公報
【発明の概要】
【発明が解決しようとする課題】
【０００６】
ところが、上記従来のカフ圧調整器では、ゴム球型ポンプを用いてカフに空気を供給する一方、空気抜き弁を開放することでカフの内部の圧力を利用してカフから空気を排出させる構成となっていたために、ゴム球型ポンプを用いてカフの内部の圧力を所望の圧力に微調整することが困難であり、カフに過剰な空気が供給されてカフの内部の圧力が所望の圧力よりも高くなってしまった場合や使用後にカフの内部から空気を排除する場合などに、カフから空気を迅速に排出させることができず、使い勝手が良好なものではなく、また、安全性にも問題があった。
【課題を解決するための手段】
【０００７】
そこで、請求項１に係る本発明では、気管に密着させるために設けられたカフの圧力を調整するためのカフ圧調整器において、カフに接続するチューブに、カフへの強制給気動作とカフからの強制排気動作と給排気停止動作とに動作変更可能に構成したポンプと、カフの圧力を測定し表示する圧力表示器とを接続することにした。
【０００８】
また、請求項２に係る本発明では、前記請求項１に係る本発明において、前記チューブの中途部に、チューブの内圧が所定圧力以上となった場合に開放する過大圧力開放弁、又は／及び、チューブの内圧が所定圧力以下となった場合に開放する過小圧力開放弁を設けることにした。
【発明の効果】
【０００９】
そして、本発明では、以下に記載する効果を奏する。
【００１０】
すなわち、本発明では、気管に密着させるために設けられたカフの圧力を調整するためのカフ圧調整器において、カフに接続するチューブに、カフへの強制給気動作とカフからの強制排気動作と給排気停止動作とに動作変更可能に構成したポンプと、カフの圧力を測定し表示する圧力表示器とを接続することにしているために、ポンプを用いて強制給気・強制排気・停止を行うことができるので、カフの内部を容易に適正な圧力に迅速に設定し保持することができ、カフ圧調整器の使い勝手を向上させることができるとともに安全性を向上させることができる。
【００１１】
特に、チューブの中途部にチューブの内圧が所定圧力以上となった場合に開放する過大圧力開放弁を設けた場合には、ポンプの操作ミスなどによって内部が過剰に高圧となるのを防止することができ、カフ圧調整器の破損を防止することができる。
【００１２】
また、チューブの中途部にチューブの内圧が所定圧力以下となった場合に開放する過小圧力開放弁を設けた場合には、ポンプの操作ミスなどによって内部が過剰に負圧となるのを防止することができ、カフ圧調整器の破損を防止することができる。
【図面の簡単な説明】
【００１３】
【図１】本発明に係るカフ圧調整器を示すブロック図。
【図２】同正面図。
【図３】同内部構造を示す正面図。
【図４】同内部構造を示す側面断面図。
【図５】チューブポンプを示す断面図。
【図６】同拡大断面図。
【発明を実施するための形態】
【００１４】
以下に、本発明に係るカフ圧調整器の具体的な構成について図面を参照しながら説明する。
【００１５】
本発明に係るカフ圧調整器１は、気管に密着させるために挿管チューブや気管カニューレなどの端部に設けられた変形自在（膨張・収縮自在）のカフに接続して使用され、カフの内部に空気を供給し、または、カフの内部から空気を排出し、さらには、カフの内部の圧力を一定に保持する機能を有している。
【００１６】
このカフ圧調整器１は、図１に模式的に示すように、先端部にカフを接続するチューブ２の基端部にポンプ（チューブポンプ３）を接続するとともに、チューブ２の中途部に圧力表示器４と圧力保持器５と過大圧力開放弁６と過小圧力開放弁７とを分岐接続している。
【００１７】
具体的には、カフ圧調整器１は、図２〜図６に示すように、中空箱型状のケーシング８の下部からカフに接続するチューブ２を伸延させるとともに、ケーシング８の前側下部にチューブポンプ３を配置し、ケーシング８の前側上部に圧力表示器４を配置し、ケーシング８の内部に圧力保持器５と過大圧力開放弁６と過小圧力開放弁７を配置している。
【００１８】
チューブポンプ３は、中空円筒状のポンプケース９にチューブ挿通口10を形成し、チューブ挿通口10からポンプケース９の内部に挿通させたチューブ２をポンプケース９の内周面に沿わせて収容するとともに、チューブ２の端部をチューブ挿通口10からポンプケース９の外部に挿通させている。なお、チューブ挿通口10はチューブ２の２本分の断面積を有しており、チューブ挿通口10においてポンプケース９の内部に挿通されるチューブ２とポンプケース９の外部に挿通されるチューブ２とを密接させている。
【００１９】
また、チューブポンプ３は、ポンプケース９の内部中央に回転軸11を回転自在に取付けている。この回転軸11には、ポンプケース９の内部において、ローター12が取付けられている。ローター12は、半径方向へ向けて伸延する３本のアーム13を円周方向に等間隔に形成し、各アーム13の先端部にローラー14を回転自在に取付けている。なお、ポンプケース９の内周面とローラー14の先端部との間には、チューブ２の肉厚の２倍の間隙が形成されており、ローラー14でチューブ２を閉塞させた状態に押圧することができる（図６（ａ）参照。）。一方、回転軸11には、ポンプケース９の外部において円板状の操作具15が取付けられている。
【００２０】
そして、チューブポンプ３は、操作具15を左回転させることで、ローター12が左回転し、それに伴ってローラー14がチューブ２を押圧しながらチューブ２に沿って左回りに移動し、カフへ向けて強制的に空気を供給する（カフへの強制給気動作）。また、チューブポンプ３は、操作具15を右回転させることで、ローター12が右回転し、それに伴ってローラー14がチューブ２を押圧しながらチューブ２に沿って右回りに移動し、カフから空気を強制的に排出させる（カフからの強制排気動作）。その際に、チューブ挿通口10においてポンプケース９の内部に挿通されるチューブ２とポンプケース９の外部に挿通されるチューブ２とが密接しているために、ローラー14を円滑に移動させることができるようになっている（図６（ｂ）参照）。さらに、チューブポンプ３は、操作具15にクリック機構等の回転停止機構を設けて、ローター12の回転を停止させることでカフへの給気やカフからの排気を停止させる（給排気停止動作）。なお、チューブポンプ３は、操作具15を設けて手動で操作できるようにしてもよく、回転軸11にステッピングモーター等の回転停止機能付きのモーターを接続して電動で操作できるようにしてもよい。
【００２１】
圧力表示器４は、カフの内部の圧力を測定し表示するものである。圧力表示器４を見ながらチューブポンプ３を操作することで、カフの内部の圧力を所望の圧力にすることが容易に行える。特に、チューブポンプ３に強制排気動作を行わせることができるため、強制給気動作でカフの内部の圧力が所望の圧力以上となってしまった場合でも、強制排気動作によって直ちにカフの内部の圧力を所望の圧力に修正することができる。
【００２２】
圧力保持器５は、チューブ２の中途部に矩形平板状の伸縮自在な調整袋16を接続するとともに、ケーシング８の内部に取付けた４個の調整バネ17で矩形薄板状の押圧板18を上下に平行移動可能に付勢し、押圧板18で調整袋16を上から下向きに押圧している。
【００２３】
圧力保持器５は、カフの使用者の姿勢変更などによってカフが圧縮されて収縮されると、カフの内部の空気がチューブ２を介して調整袋16に流入する。しかし、調整袋16が膨らむと調整バネ17で付勢された押圧板18で調整袋16を押圧する。これにより、調整袋16からチューブ２を介してカフへ空気が再び流れ込み、カフを膨張させて内部の圧力を一定に保持する。
【００２４】
このように、チューブ２の中途部に圧力保持器５を設けることで、カフの内部の圧力変動がチューブポンプ３に直接作用するのを緩和させることができ、チューブポンプ３の誤作動を防止することができる。
【００２５】
過大圧力開放弁６は、チューブ２の内圧が所定圧力以上となった場合に開放してチューブ２の内部の空気を外部へ強制的に排出できるようにした弁であり、チューブ２の中途部に設けられている。
【００２６】
このように、チューブ２の中途部に過大圧力開放弁６を設けることで、チューブポンプ３の操作ミスなどによってチューブ２の内部が過剰に高圧となるのを防止することができ、カフ圧調整器１の破損を防止することができる。
【００２７】
過小圧力開放弁７は、チューブ２の内圧が所定圧力以下となった場合に開放してチューブ２の内部に外部の空気を供給できるようにした弁であり、チューブ２の中途部に設けられている。
【００２８】
このように、チューブ２の中途部に過小圧力開放弁７とを設けることで、チューブポンプ３の操作ミスなどによって内部が過剰に負圧となるのを防止することができ、カフ圧調整器１の破損を防止することができる。
【００２９】
以上に説明したように、上記カフ圧調整器１では、カフに接続するチューブ２に、カフへの強制給気動作とカフからの強制排気動作と給排気停止動作とに動作変更可能に構成したチューブポンプ３と、カフの圧力を測定し表示する圧力表示器４とを接続した構成となっている。
【００３０】
そのため、上記構成のカフ圧調整器１では、チューブポンプ３を用いて強制給気・強制排気・停止を行うことができるので、カフの内部を容易に適正な圧力に迅速に設定し保持することができ、カフ圧調整器１の使い勝手を向上させることができるとともに安全性を向上させることができる。
【符号の説明】
【００３１】
１  カフ圧調整器                  ２  チューブ
３  チューブポンプ                ４  圧力表示器
５  圧力保持器                    ６  過大圧力開放弁
７  過小圧力開放弁                ８  ケーシング
９  ポンプケース                  10  チューブ挿通口
11  回転軸                        12  ローター
13  アーム                        14  ローラー
15  操作具                        16  調整袋
17  調整バネ                      18  押圧板
【図１】
2015024010.tif 000003
【図２】
2015024010.tif 000004
【図３】
2015024010.tif 000005
【図４】
2015024010.tif 000006
【図５】
2015024010.tif 000007
【図６】
2015024010.tif 000008